(57)【特許請求の範囲】
【請求項１】
複数の部材が各々の表面を隣り合わせに露出するように設けられ、各該部材を同一の低温状態に保持する部材の温感効果比較装置であって、
金属製の基板と、該基板を前記低温状態に保持する冷却手段とを備え、
前記複数の部材は、前記基板上に伝熱可能に貼着されて各々の表面が隣り合わせに露出していることを特徴とする部材の温感効果比較装置。
【請求項２】
前記基板はケースの上部に保持されており、
前記冷却手段は前記ケース内に設けられていることを特徴とする請求項１記載の部材の温感効果比較装置。
【請求項３】
前記冷却手段はペルチェ素子を有することを特徴とする請求項１又は２記載の部材の温感効果比較装置。
【発明の詳細な説明】
【技術分野】
【０００１】
本発明は部材の温感効果比較装置に関する。温感効果とは、人がその部材の表面に触れた場合に冷たさや熱さをより感じにくい程度である。
【背景技術】
【０００２】
従来、繊維強化プラスチック（ＦＲＰ）製の基部と、この基部の表面に一体に設けられた加飾層とからなる洗い場用床パネルが知られている（非特許文献１）。この床パネルの表面には、周囲に互いに連続する流路が形成されて島状に突出する複数の凸部が形成されている。
【０００３】
この床パネルは、基部がＦＲＰ製であることから、軽量性、高強度性等の優れた特質を発揮する。また、加飾層は床パネルの加飾を行い、その粒状物質は、滑り難い特性を床パネルの表面に付与する。そして、各凸部上の水が各流路に落下して集まることにより外部に排出されやすくされているため、床パネルの表面が乾燥されやすくされている。
【０００４】
しかし、従来の床パネルは、冬場にそれが日陰にあり、人がその表面に触れた場合には冷たさを感じやすいという不具合がある。このため、この床パネルに対しては、その洗い場の表面に発泡ポリウレタンフォーム等からなるバスマットを設けることがよく行われている。こうすることにより、バスマットの無数の気孔が熱の移動を阻害するため、冷感を生じ難いという温感効果を生じる。
【０００５】
【非特許文献１】（株）ＩＮＡＸ「住宅設備機器／総合カタログ」（２００３−２００４、２００３年３月発行）第６６３頁
【発明の開示】
【発明が解決しようとする課題】
【０００６】
しかし、上記従来の床パネルは、基部がＦＲＰ製であることにより軽量性、高強度性等の優れた特質を発揮するものの、温感効果を得ようとすれば、発泡ポリウレタンフォーム等からなる別体のマットをわざわざ表面に設けなければならず、使用者に面倒な作業を強いてしまう。
【０００７】
このため、出願人は、特願２００３−３９９９６３号等において、ＦＲＰ製の基部と、この基部の表面に一体に設けられ、無数の気孔を有して構成された断熱部と、断熱部の表面に一体に設けられた保護層とからなる温感部材を提案した。
【０００８】
この温感部材は、人が足裏等で保護層を介して触れる表面の断熱部が無数の気孔を有しており、各気孔が熱の移動を阻害する。このため、この温感部材を床パネルとすれば、その床パネルは、冬場において人が表面に触れた場合に冷たさをより感じにくく、効果的な温感効果を発揮する。また、この床パネルにおいては、断熱部が一体になっているため、使用者が面倒を感じることなく、温感効果を享受することが可能になる。したがって、この床パネルによれば、軽量性、高強度性等の優れた特質を維持しつつ、使用者が簡易に効果的な温感効果を享受することができる。
【０００９】
しかしながら、上記のような温感部材が他の部材とどの程度温感効果に相違を有するかを直接的に比較するための装置が従来は知られていない。
【００１０】
本発明は、上記従来の実情に鑑みてなされたものであって、複数の部材がどの程度温感効果に相違を有するかを直接的に比較できる部材の温感効果比較装置を提供することを解決すべき課題としている。
【課題を解決するための手段】
【００１１】
本発明の部材の温感効果比較装置は、複数の部材が各々の表面を隣り合わせに露出するように設けられ、各該部材を同一の低温状態に保持する部材の温感効果比較装置であって、
金属製の基板と、該基板を前記低温状態に保持する冷却手段とを備え、
前記複数の部材は、前記基板上に伝熱可能に貼着されて各々の表面が隣り合わせに露出していることを特徴とする。
【００１２】
この温感効果比較装置では、複数の部材が同一の低温状態に保持されて各々の表面を隣り合わせに露出しているため、人が手等で交互に又は順次各部材の表面に触れることにより、一部材と他の部材との温感効果の差をその人自身が判断することができる。
【００１３】
したがって、本発明の温感効果比較装置によれば、複数の部材がどの程度温感効果に相違を有するかを直接的に比較することができる。
【００１４】
本発明の温感効果比較装置は、金属製の基板と、各々の表面が隣り合わせに露出するように該基板上に伝熱可能に貼着された複数の部材と、該基板を低温状態に保持する冷却手段とを備えている。
【００１５】
基板は、アルミニウム系金属等の金属からなる。この基板は伝熱性に優れるため、冷却手段によって基板を冷却すれば、各部材を同一の低温状態に迅速に保持することができる。
【００１６】
冷却手段としては、公知の圧縮機、エバポレータ等の他、ペルチェ素子を有するものを採用することができる。冷却手段として、ペルチェ素子を有するものを採用することが好ましい。ペルチェ素子を用いれば、圧縮機を駆動するような騒音を生じることがなく、静かに各部材の温感効果を比較することができる。
【発明を実施するための最良の形態】
【００１７】
以下、本発明を具体化した実施例１、２を図面を参照しつつ説明する。
【実施例１】
【００１８】
実施例１の温感効果比較装置は、図１及び図２に示すように、机上等に載置可能なケース１を備えており、ケース１の上部にはアルミニウムからなる基板２が剥き出しで保持されている。基板２には高熱伝導性シリコーンからなる接着剤３、３が設けられており、板状の部材Ｔ１、Ｔ２は各接着剤３によって各々の表面を隣り合わせに露出するように貼着されている。なお、各部材Ｔ１、Ｔ２の上辺側の基板２には両部材Ｔ１、Ｔ２を区別可能なシール７ａ、７ｂが貼着されている。
【００１９】
ケース１と基板２との間には冷却手段としての２個のＯＥＭ用電子クーラ４、４が設けられている。各電子クーラ４は、図３に示すように、２個のペルチェユニット５、５（熱電子工業（株）製「ＰＡ−８Ｂ４５（ＤＣ１２Ｖ６Ａ）」）と、これらに接続された制御回路６とからなる。
【００２０】
各ペルチェユニット５はペルチェ素子５ａとファン５ｂとにより構成されている。制御回路６では、電源プラグ６ａの一方のリード線がスイッチ６ｂ及びヒューズ６ｃを介してＡＤ変換器６ｄに接続されている。また、電源プラグ６ａの他方のリード線はスイッチ６ｅを介してＡＤ変換器６ｄに接続されている。ヒューズ６ｃとＡＤ変換器６ｄとの間では、ファン６ｆが並列に設けられているとともに、接点１、２間にトランス６ｈが並列に設けられている。トランス６ｈの接点４は一方のリード線に接続され、その接点５は抵抗６ｇを介して他方のリード線に接続されている。また、トランス６ｈの接点１１、１２間には熱電対６ｉが接続されている。
【００２１】
ＡＤ変換器６ｄの＋端子と−端子とにはパイロットランプ６ｊが並列に接続され、＋端子及び−端子はそれぞれ２本のリード線に分岐されている。＋端子の一方のリード線はコンデンサ６ｋを介してペルチェユニット５、５のペルチェ素子５ａ側の＋端子に接続され、−端子の一方のリード線はコンデンサ６ｌを介してペルチェユニット５、５のペルチェ素子５ａ側の＋端子に接続されている。また、＋端子の他方のリード線はペルチェユニット５、５のファン５ｂ側の＋端子に接続され、−端子の他方のリード線はペルチェユニット５、５のファン５ｂ側の−端子に接続されている。
【００２２】
この温感効果比較装置では、２個の部材Ｔ１、Ｔ２が同一の低温状態に保持されて各々の表面を隣り合わせに露出しているため、人が手で交互に各部材Ｔ１、Ｔ２の表面に触れることにより、一方の部材Ｔ１と他方の部材Ｔ２との温感効果の差をその人自身が判断することができる。
【００２３】
したがって、この温感効果比較装置によれば、２個の部材Ｔ１、Ｔ２がどの程度温感効果に相違を有するかを直接的に比較することができる。特に、この温感効果比較装置は、冷却手段として、ペルチェ素子５ａを有するペルチェユニット５を採用しているため、静かに部材Ｔ１、Ｔ２の温感効果を比較することができる。また、この温感効果比較装置は、基板２を剥き出しにしているため、両部材Ｔ１、Ｔ２を同一条件下で冷却していることが目視や接触によって明らかとなり、温感効果の相違を真実としてアピールできる。
【実施例２】
【００２４】
実施例２の温感効果比較装置は、図４及び図５に示すように、ケース８が両部材Ｔ１、Ｔ２の表面を除いて基板２を隠蔽している。そして、各部材Ｔ１、Ｔ２の上辺側のケース８には両部材Ｔ１、Ｔ２を区別可能なシール７ａ、７ｂが貼着されている。他の構成は実施例１と同一であり、同一の構成については同一の符号を付して詳細な構成の説明は省略する。
【００２５】
この温感効果比較装置においても、実施例１と同様の作用効果を奏することができる。但し、この温感効果比較装置は、基板２を剥き出しにしていないため、両部材Ｔ１、Ｔ２を非同一条件下で冷却しているのではないかとの疑念を生じるおそれがある。この一方、この温感効果比較装置は、基板２を隠蔽していることにより優れた美観を呈する。
【００２６】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００２７】
本発明は温感部材の販売促進のための展示会等に利用可能である。
【図面の簡単な説明】
【００２８】
【図１】実施例１の温感効果比較装置の斜視図である。
【図２】実施例１の温感効果比較装置の断面図である。
【図３】実施例１の温感効果比較装置の回路図である。
【図４】実施例２の温感効果比較装置の斜視図である。
【図５】実施例２の温感効果比較装置の断面図である。
【符号の説明】
【００２９】
Ｔ１、Ｔ２…部材
２…基板
４、４…冷却手段（電子クーラ）
５ａ…ペルチェ素子
【図１】
0004638689.tif 000002
【図２】
0004638689.tif 000003
【図３】
0004638689.tif 000004
【図４】
0004638689.tif 000005
【図５】
0004638689.tif 000006